(57)【特許請求の範囲】
【請求項１】
内周面にめねじ部を有する外筒体と、外周面におねじ部を有する内筒体とを両ねじ部にて螺合させ、内筒体の高さ調整を行なうために、内外を貫通する開口部を内筒体に形成し、先端部が前記開口部より外方へ突出し、且つ外筒体のめねじ部に形成された溝部に係合可能な停止部材を内筒体の内側に水平な軸の回りで回転可能に取り付けたねじ式筐体であって、前記外筒体の溝部の形成部の下端には内面から内方に突出する位置合わせ片が一体に設けられていることを特徴とするねじ式筐体。
【発明の詳細な説明】
【０００１】
【発明の属する技術分野】
本発明は、例えば地中に埋め込まれた上水管もしくは下水管に取り付けられる開閉弁の取り付け部において地上から開閉弁を操作すべく開閉弁取り付け部の上部に空間を形成するために内周面に雌ねじ部を有する外筒体と、前記雌ねじ部に螺合する雄ねじ部を外周面に有する内筒体とからなり、前記外筒体に対して内筒体を回転させることにより内筒体の高さ調整が行なえるようにして地中に埋設される鋳鉄製のねじ式筐体に関するものである。
【０００２】
【従来の技術】
従来のこの種ねじ式筐体としては、例えば特開平９−１８４１４６号公報に開示されているものが知られている。すなわち、同公報に開示されているものは、内周面にめねじ部を有する外筒体と、外周面におねじ部を有する内筒体とを両ねじ部にて螺合し、該螺合を適当な位置で止め高さを調整するために、めねじ部に形成された溝部に停止部材を内方から係合可能としたねじ式筐体において、おねじ部を設けた箇所で内外を貫通する開口部を内筒体に形成し、先端部が該開口部より外方へ突出し、外筒体のめねじ部に形成された溝部に係合可能な停止部材を内筒体の内側に取り付けたものである。
【０００３】
【特許文献１】
特開平９−１８４１４６号公報
【０００４】
【発明が解決しようとする課題】
しかしながら、かかるねじ式筐体は内筒体の開口部より突出させた停止部材の先端部を外筒体のめねじ部に形成された溝部に係合させて内筒体の高さ調整後の内筒体の回り止めを行なうものであるが、外筒体のめねじ部に形成された溝部の位置が内筒体によって隠れるために目で確認することができず、作業する人が感で停止部材の先端部を外筒体の溝部に合わせているのが現状であるが、停止部材の先端部と外筒体の溝部の位置合わせに手間がかかるという問題があった。
【０００５】
本発明はこのような課題を解決するもので、停止部材の先端部と外筒体の溝部の位置合わせを容易に行なえるようにしたねじ式筐体を提供することを目的とするものである。
【０００６】
【課題を解決するための手段】
この課題を解決するために本発明は、内周面にめねじ部を有する外筒体と、外周面におねじ部を有する内筒体とを両ねじ部にて螺合させ、内筒体の高さ調整を行なうために、内外を貫通する開口部を内筒体に形成し、先端部が前記開口部より外方へ突出し、且つ外筒体のめねじ部に形成された溝部に係合可能な停止部材を内筒体の内側に水平な軸の回りで回転可能に取り付けたねじ式筐体であって、前記外筒体の溝部の形成部の下端には内面から内方に突出する位置合わせ片が一体に設けられていることを要旨とするものである。
【０００７】
この構成により、外筒体の溝部の形成部の下端には内面から内方に突出する位置合わせ片が一体に設けられていることから、停止部材の先端部と外筒体の溝部の位置合わせを容易に行なうことができ、作業性を向上させることができる。
【０００８】
【発明の実施の形態】
以下、本発明の一実施の形態について、図面に基づいて説明する。
図１〜図８において、１は上端から下端に亘って内周面にめねじ部２を有する鉄鋳製の外筒体、３はこの外筒体１のめねじ部２に螺合するおねじ部４を下端における外周面に有する鉄鋳製の内筒体で、これら外筒体１と内筒体３により高さ調整可能なねじ式筐体が構成されている。前記外筒体１の内周面には周方向に４等分する位置に外筒体１の軸心方向に延びる溝部５がめねじ部２を分断するように形成され、外筒体１に対する内筒体３の回転を止めて内筒体３の上端高さを調整するために、内筒体３の下端近傍に前記おねじ部４を設けた箇所で内外を貫通する開口部６が形成されているとともに上端の先端部７ａが前記開口部６より外方へ突出し、外筒体１の前記溝部５に係合可能な停止部材７を内筒体３の内側に取り付け、この停止部材７の先端部７ａを前記開口部６より突出させて前記溝部５に内方から係合可能としてある。さらに詳しくは、前記停止部材７は内筒体３の下端近傍内面に設けた軸受け部８に支持される水平な軸９に上下方向中間部が回転自在に取り付けられ、停止部材７の先端部７ａを開口部６から外側に突出させることにより外筒体１の前記溝部５に係合するようになっている。
【０００９】
ところで、前記外筒体１の４箇所の各溝部５の形成部の下端には内面から直角に内方に突出する位置合わせ片１０が一体に設けられている。
なお、１１は前記内筒体３の上端の開口部３ａを閉じるために内筒体３の上端開口部３ａに嵌り込む鉄鋳製の蓋体で、内筒体３の上端開口部３ａに嵌入した状態において天面が内筒体３の上端面と面一状となる。そして、この蓋体１１の裏面には内筒体３の上端内部に設けられているリング状係合部１２に係合する係合片１３が軸１４により回動自在に支持されて設けられていて、係合片１３がリング状係合部１２に係合した状態で蓋体１１が閉じた状態と開いた状態との間で自在に開閉できるようになっている。つまり、蓋体１１は内筒体３に開閉自在に繋がっており、蓋体１１が閉じた状態において内筒体３の上端内部での蓋体１１の動きが係合片１３とリング状係合部１２との係合により止められるようになっている。
【００１０】
上記の外筒体１と内筒体３により高さ調整可能に構成されたねじ式筐体は地中に埋め込まれた上水管もしくは下水管に取り付けられる開閉弁（図示せず）の取り付け部を上方から覆うように地中に埋設される。そのとき、内筒体３の上端が地表面と面一状となるように高さ調整を行なう必要があり、その場合前記停止部材７の先端部７ａを開口部６から内筒体３の内部に退入させた状態、つまりロック解除の状態で内筒体３を回転させて高さ調整を行なう。この高さ調整時に前記開口部６が前記溝部５の何れかに重なるようにする必要があり、そのとき前記位置合わせ片１０により溝部５の位置を確認でき、開口部６と溝部５の位置合わせが容易に行なえ、最終的に停止部材７の先端部７ａを開口部６から突出させてこの開口部６の外側に位置する溝部５に先端部７ａを係止させる。
【００１１】
これにより内筒体３が外筒体１にロックされた状態となり、内筒体３の上端開口部３ａが蓋体１１により閉じられた状態で蓋体１１の上を大型車輛が載って走行することにより蓋体１１に回転する力が加わったときでも蓋体１１の回転が前記係合片１３と内筒体３のリング状係合部１２との係合により止められ、さらには内筒体３の回転が前記停止部材７の先端部７ａと溝部５との係止により止められることになる。
【００１２】
【発明の効果】
以上のように本発明によれば、外筒体の溝部の形成部の下端には内面から内方に突出する位置合わせ片が一体に設けられていることから、停止部材の先端部と外筒体の溝部の位置合わせを容易に行なうことができ、作業性を向上させることができる。
【図面の簡単な説明】
【図１】本発明の一実施の形態におけるねじ式筐体の一部切り欠き斜視図である。
【図２】同ねじ式筐体の外筒体を上方から見た斜視図である。
【図３】同ねじ式筐体の外筒体を下方から見た斜視図である。
【図４】同ねじ式筐体の外筒体に対する内筒体の高さ調整時の状態を示す縦断面図である。
【図５】同ねじ式筐体の外筒体に対する内筒体の高さ調整後のロック状態を示す縦断面図である。
【図６】同ロック部を内側から見た斜視図である。
【図７】同ねじ式筐体の外筒体に対する内筒体の高さ調整後のロック状態を示す平面図である。
【図８】同ねじ式筐体の内筒体の上端に蓋体を載せた状態を示す縦断面図である。
【符号の説明】
１      外筒体
２      めねじ部
３      内筒体
３ａ    開口部
４      おねじ部
５      溝部
６      開口部
７      停止部材
７ａ    先端部
８      軸受け部
９      軸
１０      位置合わせ片
１１      蓋体
１２      リング状係合部
１３      係合片
１４      軸
【図１】
0003708071.tif 000002
【図２】
0003708071.tif 000003
【図３】
0003708071.tif 000004
【図４】
0003708071.tif 000005
【図５】
0003708071.tif 000006
【図６】
0003708071.tif 000007
【図７】
0003708071.tif 000008
【図８】
0003708071.tif 000009